(57)【要約】【課題】  浮き下を従来より長く確保できるようにするとともに、釣り竿の長さに係らず釣り糸を多く円滑に巻き取って掛かった魚を容易に手元まで引き上げできるようにし、しかも強風の影響を受けることなく、初心者でも釣り糸の結び目を掛止溝に掛止し易いフカセ釣り用浮きを提供する。【解決手段】  浮き本体１１に貫通孔１２を設け、同貫通孔１２に筒体１３を挿入して回転自在に保持し、同筒体１３に釣り糸の結び目１７が通過できる内径の糸孔１３ａを形成し、筒体１３の釣り針２０側端部に釣り糸の結び目１７が掛止できる幅の掛止溝１３ｂを形成する。【選択図】  図１
2008199954.tif 000002
【特許請求の範囲】
【請求項１】
浮き本体に貫通孔を設け、同貫通孔に筒体を挿入して回転自在に保持し、同筒体に釣り糸の結線部が通過できる内径の糸孔を形成し、筒体の片側端部に釣り糸の結線部が掛止できる幅の掛止溝を形成した、フカセ釣り用浮き。
【請求項２】
筒体の掛止溝を糸孔を中心に放射状に複数形成した、請求項１記載のフカセ釣り用浮き。
【請求項３】
請求項１又は２記載のフカセ釣り用浮きの糸孔にハリスを通し、フカセ釣り用浮きの掛止溝側のハリスの途中位置に浮き止めを設け、ハリスの浮き止め側の先端に釣り針を設けた、フカセ釣り用仕掛け。
【請求項４】
請求項１又は２記載のフカセ釣り用浮きの糸孔にハリスを通し、フカセ釣り用浮きの掛止溝とは反対する側のハリスの途中位置に重りを設け、ハリスの重り側の途中位置に重り止めを設け、ハリスの重り止め側の先端に釣り針を設けた、フカセ釣り用仕掛け。
【請求項５】
重りが、釣り糸の結線部が通過できる内径の糸孔を備えたもので、重りのフカセ釣り用浮き側の端部に釣り糸の結線部が掛止できる幅の掛止溝を形成した、請求項４記載のフカセ釣り用仕掛け。
【請求項６】
糸孔のフカセ釣り用浮き側を糸孔の中心から掛止溝側に偏心させた、請求項５記載のフカセ釣り用仕掛け。
【請求項７】
掛止溝を糸孔を中心に放射状に複数形成した、請求項５記載のフカセ釣り用仕掛け。
【発明の詳細な説明】
【技術分野】
【０００１】
本発明は、釣り針に刺した餌を水中で水の流れに沿って揺動させながら釣りを行うフカセ釣り用浮きに関する。
【背景技術】
【０００２】
従来、釣り針に刺した餌を水中で水の流れに沿って揺動させながら釣りを行うフカセ釣りという手法がある。この手法は、釣り針に刺した餌が水中で本物の餌のように動くことで魚の警戒心を刺激することなく掛かりを良好にするもので、特に磯部でメジナ等の大型魚を釣る際に用いられている。
【０００３】
ところで、前記フカセ釣りにおいて、浮き下の長さは通常道糸とハリスの間にシモリ等を介して浮きを所定位置に保持することで決めており、浮き下が長いほど餌を水深の深いところで揺動させることができて魚が掛かり易くなる。しかし、浮き下を長くすると釣り糸の巻き取り時に浮きとシモリが釣り竿のガイドを通過できないため釣った魚を容易に引き上げられず、浮き下が３〜４ｍに制限されるなど少なくとも釣り竿の長さより長くできない問題があった。
【０００４】
そこで、浮き本体に釣り糸の結線部が通過できる内径の糸孔を形成し、糸孔の釣り針側端部に釣り糸の結線部が掛止できる掛止溝を形成したフカセ釣り用浮きが提案されている（特許文献１参照）。この技術は、投入時は釣り糸の結線部を掛止溝に掛止することで浮き下を長く保持でき、巻き取り時は釣り糸の結線部を掛止溝から外して糸孔を通過させることで釣り針を竿元に引き寄せるまで巻き取りできるようにしたことを特徴としている。
【０００５】
しかしながら、釣り場で天候により強風が吹いている場合、仕掛け投入前において釣り糸が揺れたり浮きが回転したりして釣り糸の結線部を浮きの掛止溝に上手く掛止させるのが難しいことがあり、熟練を要していた。
【特許文献１】特開２００４−１３５５４９号公報
【発明の開示】
【発明が解決しようとする課題】
【０００６】
本発明が解決しようとする課題は、従来のこれらの問題点を解消し、浮き下を従来より長く確保できるようにするとともに、釣り竿の長さに係らず釣り糸を多く円滑に巻き取って掛かった魚を容易に手元まで引き上げできるようにし、しかも強風の影響を受けることなく、初心者でも釣り糸の結線部を掛止溝に掛止し易いフカセ釣り用浮きを提供することにある。
【課題を解決するための手段】
【０００７】
かかる課題を解決した本発明の構成は、
１）  浮き本体に貫通孔を設け、同貫通孔に筒体を挿入して回転自在に保持し、同筒体に釣り糸の結線部が通過できる内径の糸孔を形成し、筒体の片側端部に釣り糸の結線部が掛止できる幅の掛止溝を形成した、フカセ釣り用浮き
２）  筒体の掛止溝を糸孔を中心に放射状に複数形成した、前記１）記載のフカセ釣り用浮き
３）  前記１）又は２）記載のフカセ釣り用浮きの糸孔にハリスを通し、フカセ釣り用浮きの掛止溝側のハリスの途中位置に浮き止めを設け、ハリスの浮き止め側の先端に釣り針を設けた、フカセ釣り用仕掛け
４）  前記１）又は２）記載のフカセ釣り用浮きの糸孔にハリスを通し、フカセ釣り用浮きの掛止溝とは反対する側のハリスの途中位置に重りを設け、ハリスの重り側の途中位置に重り止めを設け、ハリスの重り止め側の先端に釣り針を設けた、フカセ釣り用仕掛け
５）  重りが、釣り糸の結線部が通過できる内径の糸孔を備えたもので、重りのフカセ釣り用浮き側の端部に釣り糸の結線部が掛止できる幅の掛止溝を形成した、前記４）記載のフカセ釣り用仕掛け
６）  糸孔のフカセ釣り用浮き側を糸孔の中心から掛止溝側に偏心させた、前記５）記載のフカセ釣り用仕掛け
７）  掛止溝を糸孔を中心に放射状に複数形成した、前記５）記載のフカセ釣り用仕掛け
にある。
【発明の効果】
【０００８】
本発明によれば、掛止溝を有する部分が浮き本体に対して回転自在であるから、強風による浮き本体や釣り糸の動きに影響を受けることがなく、初心者でも釣り糸の結線部を掛止溝に掛止し易く、浮き下を任意の長さに迅速に設定できる。
【発明を実施するための最良の形態】
【０００９】
本発明の浮き本体としては、直径３ｃｍ程の球状が一般的であるが、これに限定されるものではなく、例えば楕円状のものや細長状のもの等様々な形状や大きさ、材質のものに応用でき、狙う魚やそれに用いる仕掛け、潮の状況、ポイントに応じて任意に選ばれる。仕掛けとしては、フカセ釣り用浮きの掛止溝を上側（道糸側）又は下側（釣り針側）に向けて使用する方法があり、上側に向ける方法では、ハリスの途中位置に重りを設けるとともにその下方に重り止めを設ける。重りとしては、釣り糸の結線部が通過できる内径の糸孔を備え、重りのフカセ釣り用浮き側の端部に釣り糸の結線部が掛止できる幅の掛止溝を形成したものが使用される。糸孔は中心から掛止溝側に偏心させたり、掛止溝を糸孔を中心に放射状に複数形成して釣り糸の結線部が掛止し易いようにする。本発明でいう結線部とは、道糸とハリスの結び目、又はそれらを接続するサルカン等の釣り具を包含する。以下、本発明の実施例を図面に基づいて具体的に説明する。
【実施例１】
【００１０】
図１は実施例のフカセ釣り用浮きの斜視図、図２は実施例のフカセ釣り用浮きの正面図、図３は実施例のフカセ釣り用浮きの断面図、図４は実施例のフカセ釣り用仕掛けの説明図、図５は実施例のフカセ釣りにおける投入前の工程を示す説明図、図６は実施例のフカセ釣り用浮きにおける釣り糸の結び目の状態を示す説明図、図７は実施例のフカセ釣りの説明図、図８は実施例の釣り糸の巻き取り後の状態を示す説明図である。
【００１１】
図中、１０はフカセ釣り用浮き、１１は浮き本体、１２は貫通孔、１２ａは係止部、１３は筒体、１３ａは糸孔、１３ｂは掛止溝、１３ｃはリブ、１４は道糸、１４ａは目印用糸止、１５は送りハリス、１５ａは糸止、１６は当りハリス、１７，１８は結び目（結線部）、１９はプラシュート（浮き止め）、２０は釣り針、２１は釣り竿、２２はリール、Ｅは餌、Ｆは魚、Ｉは磯、Ｗは海である。
【００１２】
本実施例のフカセ釣り用浮き１０は、図１〜３に示すように直径３０ｍｍのプラスチック製の球状の浮き本体１１に内径１０ｍｍの貫通孔１２を形成し、貫通孔１２の両端内側を拡径して係止部１２ａを形成している。貫通孔１２には外径８ｍｍ、長さ３０ｍｍの筒体１３を挿入し、筒体１３に結び目１７が通過できる内径の糸孔１３ａを形成し、筒体１３の片側端部に４本の掛止溝１３ｂを糸孔１３ａを中心に放射状に形成し、筒体１３の両端にリブ１３ｃを形成し、リブ１３ｃを係止部１２ａと係止させて筒体１３を貫通孔１２内で回転自在に保持している。
【００１３】
仕掛けは、図４に示すように釣り竿２１は５．３ｍの１．２号竿、道糸１４は３号、送りハリス１５は２広の２．５号、当りハリス１６は２広の２号、釣り針２０はグレ針７号を使用し、４０ｃｍ以上のメジナを狙う仕掛けとしている。結び目１７は可能な限り小さくなるようにし、少なくとも外径が筒体１３の掛止溝１３ｂの幅より大きく且つ糸孔１３ａの内径より小さいものにする。結び方は一番切れ難い双方４面締めとし、最後に切り捨ての部分を強く引いて強固に緊締する。送りハリス１５の下方位置には接着剤で糸止１５ａを形成し、シモリ兼用のプラシュート１９（９〜２０ｍｍ）を入れてフカセ釣り用浮き１０を流さないようにする。
【００１４】
本実施例では、図５（ａ）に示すように当りハリス１６の先端から１ｍ程の箇所をつまんで竿先から３０ｃｍ程引き出し、図５（ｂ）に示すようにこの状態で釣り竿２１の先端を下方へ傾斜させると、フカセ釣り用浮き１０が自重で竿先へ移動する。このとき、送りハリス１５は緊張しているから、図６（ａ）に示すように送りハリス１５が糸孔１３ａの中心に位置し、結び目１７が円滑に通過する。図５（ｃ）に示すように当りハリス１６を緩めると、図６（ｂ）に示すように送りハリス１５が糸孔１３ａの中心から偏心して内面に当接するとともに掛止溝１３ｂのいずれかに挿入し、その挿入した掛止溝１３ｂに結び目１７が掛止してフカセ釣り用浮き１０が所定位置に保持される。このとき、強風でフカセ釣り用浮き１０が揺れたり回転したりしても掛止溝１３ｂを有する筒体１３は回転せず、結び目１７を容易に掛止溝１３ｂに掛止できる。
【００１５】
図７に示すように、仕掛けを所望のポイントに向けて投入すると、リール２２から道糸１４が引き出されてフカセ釣り用浮き１０と送りハリス１５と当りハリス１６と釣り針２０とそれに刺した餌Ｅがポイントの海面に着水して沈降し、潮の流れによりフカセ釣り用浮き１０の下方の送りハリス１５と当りハリス１６と餌Ｅが揺動してフカセ釣りが行われる。魚Ｆが掛かると道糸１４と送りハリス１５と当りハリス１６が引っ張られて緊張し、掛止溝１３ｂから結び目１７が外れて糸孔１３ａを通過し、その後リール２２で道糸１４と送りハリス１５を十分に巻き取り、図８に示すように魚Ｆを手元まで容易に引き上げる。結び目１７は釣り竿２１の中に入る。
【００１６】
以上説明したように、本実施例ではフカセ釣り用浮き１０の下方を従来より長く確保できる一方、釣り竿２１の長さに係らず道糸１４と送りハリス１５を十分に巻き取って掛かった魚Ｆを容易に手元まで引き上げることができる。特に掛止溝１３ｂを有する筒体１３が浮き本体１１に対して回転自在であるから、強風にあおられている浮き本体１１や釣り糸の動きに影響を受けることがなく、初心者でも釣り糸の結び目１７を掛止溝１３ｂに掛止し易く、浮き下を任意の長さに迅速に設定できる。
【００１７】
また、空上げ時は結び目１７を出して引き上げたり、強風時に釣り針２０まで来たフカセ釣り用浮き１０をつかむ方法、あるいは送りハリス１５に浮き止めを付けて浅棚から深棚に応じてフカセ釣り用浮き１０の下方を調整する方法等に応用できてセットの手間を省略できる。さらに、本実施例のフカセ釣り用浮き１０を使用することにより浮き止めの移動とガン玉の脱着のみでフカセから全遊動半遊動固定浮き釣りにワンタッチで変更でき、万能浮きとして有用である。
【００１８】
図９〜１２に示すのは、実施例のフカセ釣り用浮きを逆向きに使用したフカセ釣り用仕掛けの例である。図９は実施例の他の例のフカセ釣り用仕掛けの説明図、図１０は実施例の他の例の重りの断面図、図１１は実施例の他の例の重りの正面図、図１２は実施例の他の例の半遊動釣りの説明図である。図中、１８ａは結び目、２３は重り、２３ａは糸孔、２３ｂは掛止溝である。
【００１９】
実施例の他の例では、図９に示すように、フカセ釣り用浮き１０の掛止溝１３ｂを道糸１４側に向けて使用している。重り２３は、図１０に示すように円柱状で、釣り糸の結び目１８が通過できる内径の糸孔２３ａをその中心から偏心させて形成し、釣り針２０側の端部に釣り糸の結び目１８が掛止できる幅の掛止溝２３ｂを形成している。図１１に示す重り２３は、掛止溝２３ｂを糸孔２３ａを中心に放射状に４本形成しており、より掛止し易くしている。
【００２０】
図１２（ａ）に示すように、投入前は重り２３の掛止溝２３ｂが結び目１８に掛止してフカセ釣り用浮き１０が重り２３の直上に位置している。結び目１７は釣り竿２１の中に入っている。図１２（ｂ）に示すように、投入後はフカセ釣り用浮き１０が浮力で上がって掛止溝１３ｂが結び目１７に掛止する。図１２（ｃ）に示すように、魚Ｆが掛かって釣り糸を巻き上げると、フカセ釣り用浮き１０が自重で下がって掛止溝１３ｂが結び目１７から外れ、フカセ釣り用浮き１０が重り２３とともにプラシュート１９の位置まで下がる。結び目１７，１８は釣り竿２１の中に入る。このように、実施例の他の例でも、フカセ釣り中はフカセ釣り用浮き１０の下方を長く確保でき、魚Ｆの取り込み時は釣り竿２１の長さに係らず釣り糸を多く円滑に巻き取ることができる。その他、符号、構成は実施例と同じである。
【産業上の利用可能性】
【００２１】
本発明のフカセ釣り用浮きは、磯部でメジナ等の大型魚を釣る際に有用である。
【図面の簡単な説明】
【００２２】
【図１】実施例のフカセ釣り用浮きの斜視図である。
【図２】実施例のフカセ釣り用浮きの正面図である。
【図３】実施例のフカセ釣り用浮きの断面図である。
【図４】実施例のフカセ釣り用仕掛けの説明図である。
【図５】実施例のフカセ釣りにおける投入前の工程を示す説明図である。
【図６】実施例のフカセ釣り用浮きにおける釣り糸の結び目の状態を示す説明図である。
【図７】実施例のフカセ釣りの説明図である。
【図８】実施例の釣り糸の巻き取り後の状態を示す説明図である。
【図９】実施例の他の例のフカセ釣り用仕掛けの説明図である。
【図１０】実施例の他の例の重りの断面図である。
【図１１】実施例の他の例の重りの正面図である。
【図１２】実施例の他の例の半遊動釣りの説明図である。
【符号の説明】
【００２３】
１０  フカセ釣り用浮き
１１  浮き本体
１２  貫通孔
１２ａ  係止部
１３  筒体
１３ａ  糸孔
１３ｂ  掛止溝
１３ｃ  リブ
１４  道糸
１４ａ  目印用糸止
１５  送りハリス
１５ａ  糸止
１６  当りハリス
１７，１８，１８ａ  結び目（結線部）
１９  プラシュート（浮き止め）
２０  釣り針
２１  釣り竿
２２  リール
２３  重り
２３ａ  糸孔
２３ｂ  掛止溝
Ｅ  餌
Ｆ  魚
Ｉ  磯
Ｗ  海
【図１】
2008199954.tif 000003
【図２】
2008199954.tif 000004
【図３】
2008199954.tif 000005
【図４】
2008199954.tif 000006
【図５】
2008199954.tif 000007
【図６】
2008199954.tif 000008
【図７】
2008199954.tif 000009
【図８】
2008199954.tif 000010
【図９】
2008199954.tif 000011
【図１０】
2008199954.tif 000012
【図１１】
2008199954.tif 000013
【図１２】
2008199954.tif 000014